(57)【要約】本発明は、可動式に装着される操作ヘッド（３）と操作ヘッドの振動操作運動を生成するための駆動装置とを有する個人使用のための小型電気器具、特に歯ブラシに関する。駆動装置は、循環式に可動する駆動部分（１７）とフォロア部分（１８）とを有し、フォロア部分は、駆動部分の循環駆動運動に従うために駆動部分に対して、プレストレス装置（１９）によって、応力下で保持される。操作ヘッドの接触圧力を決定するために、圧力検知装置が設けられ、これは、フォロア部分および駆動部分の連結状態を検知し、検知された連結状態に依存して操作ヘッドの接触圧力を決定する。【選択図】図１
2004517703.tif 000002
【特許請求の範囲】
【請求項１】
可動式に装着される操作ヘッド（３）、前記操作ヘッドの振動操作運動を生成する駆動装置、及び前記操作ヘッドの接触圧力を検知するための圧力検知装置を有する個人使用のための小型電気器具、特に、歯ブラシであって、前記駆動装置は、特に、循環式に可動する駆動部分（１７）、フォロア部分（１８）を有し、このフォロア部分は特に、前記駆動部分の循環駆動運動に従うために前記駆動部分に対してプレストレス装置（１９）によって応力下で保持され、前記圧力検知装置は、前記フォロア部分および前記駆動部分の連結状態を検知するための連結検知装置、前記検知された連結状態に基づいて接触圧力を決定するための圧力決定装置を有する小型電気器具。
【請求項２】
前記プレストレス装置（１９）は、接触圧力が所望の範囲内である場合に、前記フォロア部分（１８）は、前記駆動部分（１７）の運動サイクルの一部で前記駆動部分（１７）に連結されるのみである、請求項１に記載の小型電気器具。
【請求項３】
前記フォロア部分（１８）が前記駆動部分（１７）の駆動運動に従う間の前記駆動部分（１７）の運動サイクルの一部、および、前記フォロア部分（１８）が前記駆動部分（１７）から連結解除される間の前記運動サイクルの一部から決定される負荷時間率から、接触圧力が決定されるように、前記圧力測定配列が設計される、先行する請求項のいずれか１項に記載の小型電気器具。
【請求項４】
前記連結検知装置は、前記フォロア部分（１８）と前記駆動部分（１７）との間の接触、特に電気導電性接触を検知するための接触検知装置として設計される、先行する請求項のいずれか１項に記載の小型電気器具。
【請求項５】
前記連結検知装置は、特に、前記フォロア部分（１８）および前記駆動部分（１７）によって形成されるオン／オフスイッチを有する、先行する請求項のいずれか１項に記載の小型電気器具。
【請求項６】
前記駆動装置は、前記操作ヘッド（３）の基本的に直動のストローク運動を生成するためのストローク駆動装置として設計される、先行する請求項のいずれか１項に記載の小型電気器具。
【請求項７】
前記循環式に可動する駆動部分（１７）は、特に、回転して駆動されることができるカム（１７）である、先行する請求項のいずれか１項に記載の小型電気器具。
【請求項８】
前記フォロア部分はロッカー（９、２）の一部であり、その一方の端は前記操作ヘッド（３）を担持し、他方の端は前記駆動部分（１７）に対して応力下で保持される、先行する請求項のいずれか１項に記載の小型電気器具。
【請求項９】
プレストレス力を調整するための調整装置（２４）が設けられ、それによって前記フォロア部分（１８）が前記駆動部分（１７）に対して応力下で保持される、先行する請求項のいずれか１項に記載の小型電気器具。
【請求項１０】
前記圧力決定装置はフィルタ回路を有し、その入力側は連結検知配列に接続される、先行する請求項のいずれか１項に記載の小型電気器具。
【請求項１１】
前記圧力決定装置は、計算ユニット、特にマイクロコントローラを有する、先行する請求項のいずれか１項に記載の小型電気器具。
【請求項１２】
インジケータ、特に、ＬＥＤディスプレイが、前記決定された接触圧力を示すために設けられる、先行する請求項のいずれか１項に記載の小型電気器具。
【発明の詳細な説明】
【０００１】
【発明の属する技術分野】
本発明は、可動式に装着される操作ヘッドと操作ヘッドの振動操作運動を生成するための駆動装置とを有する個人使用のための小型電気器具、特に歯ブラシに関し、駆動装置は、循環式に可動する駆動部分とフォロア部分とを有し、フォロア部分は、駆動部分の循環駆動運動に従うために駆動部分に対して、プレストレス装置によって、応力下で保持される。
【０００２】
【発明の背景】
この種類の歯ブラシは、国際公開第ＷＯ９８／０１０８３号から既知である。ここで開示された歯ブラシの場合には、ブラシヘッドキャリヤが、ハンド部分から突出し、その内部にはブラシヘッドを駆動するための駆動シャフトが配列されるが、歯ブラシのハンド部分に対してロッカーのように全体として旋回することができるように、装着される。ハンド部分の内部に位置しブラシヘッドの反対側に位置するブラシヘッドキャリヤの端は、歯ブラシの駆動モータによって駆動される偏心に対して、ばねによって、応力下で保持され、その結果としてブラシヘッドキャリヤは偏心の駆動運動に従い、したがって、振動揺動運動を実行する。結果として、ブラシヘッドは、ブラシヘッドキャリヤの外側端に装着されるが、往復ストロークまたはピッキング運動を受け、それによって、歯上の不純物、特に歯垢を良好に除去することができる。
【０００３】
しかし、ブラシヘッドのそのようなピッキング運動の場合には、歯肉が刺激されるかまたは損傷さえされる状況を避けるべきである。特に、洗浄しなければならない歯に対してブラシヘッドの過剰に著しい接触圧力がある場合、これは危険である。
【０００４】
このようにして、接触圧力モニタリングを提供することは既に提案されている。それぞれの接触圧力は、圧力検知装置によって検知され、結果として、正しい接触圧力で洗浄が実施されたか否かをユーザに示すことができる。このようにして、たとえば、国際公開第ＷＯ９２／１３４９９号から既知である歯ブラシの場合、歯ブラシの中心長手方向軸を横切って、回復力に対して、駆動シャフトが静止位置から旋回することができるように、駆動シャフトが装着されるように提供され、結果として、ブラシヘッド上に医療的に必要な力が達成されるときに、歯ブラシハウジング内に収容され音響的または光学的信号を生成し且つ／または開始する配列を作動することになる。
【０００５】
他の電動歯ブラシは、接触圧力に対するその反応力がブラシヘッドキャリヤおよび／または駆動シャフトへ割り当てられた圧力センサによって測定される場合は、たとえば、ドイツ国特許出願第ＤＥ４４２６４４６Ａ１号または欧州特許出願第ＥＰ０１５８８７０Ｂ１号から既知である。
【０００６】
接触圧力を検知する既知の解決法の場合には、比較的高価且つ感度の良い圧力センサが使用される。費用の高い信号処理手段がさらに使用される。特に、往復ピッキング運動を実行する歯ブラシの場合には、接触圧力を検知する作業は困難なものである。他方、接触を使用して単に洗浄力閾値を検出するただけの接触圧力を検知するための複雑ではない解決法は、この１つの洗浄力閾値を検出するのみである限り、不利である。しかし、これは、一方では、歯上の不純物および歯垢を効果的にゆるめるために、他方では、歯肉への損傷を避けるために、それにもかかわらず一定の程度を超えないことが、十分であるとされる。したがって、洗浄力が下限よりも落ちることと上限を超えることとの両方をユーザへ示すことが望ましい。
【０００７】
【課題を解決するための手段】
本発明の目的はしたがって、先行技術の不利点を回避し且つこの先行技術を有利に展開する、導入部に述べられた種類の改良された小型電気器具を提供することである。特に、操作ヘッドによってかけられる接触圧力を、複雑ではなく且つ信頼がおけるように検知することが意図される。
【０００８】
上述の目的は、請求項１による小型電気器具によって本発明にしたがって達成される。本発明の好適な構成は、従属請求項の主題を形成する。
【０００９】
したがって本発明は、フォロア部分と駆動部分との間の連結状態を検知し、検知された連結状態に依存して操作ヘッドの接触圧力を決定する圧力検知装置を提供する。これは、操作ヘッドの接触圧力が増加すると、フォロア部分および駆動部分のプレストレスを緩和することになるが、フォロア部分と駆動部分との間の連結状態を変えるという知識に基づく。フォロア部分は操作ヘッドの接触圧力を受け、これに対してプレストレスされ、結果として、一定の接触圧力を超えるときには、フォロア部分と駆動部分とを完全に連結するためにはプレストレスがもはや十分ではない。本発明は、駆動装置のフォロア部分が実際に関連駆動部分に従う程度までの検知を提供し、次いでそれから操作ヘッドの接触圧力を決定することができる。フォロア部分が駆動部分に対してプレストレスされる以外に、駆動部分がフォロア部分に対してプレストレスされる場合にも、上述の原則を使用することができることは言うまでもない。しかし、プレストレス装置がフォロア部分に作用することが望ましく、これは、操作ヘッドに接続され、可動式に装着される。循環駆動運動以外の運動が使用されてもよいことは言うまでもない。
【００１０】
本発明の態様において、プレストレス装置は、駆動部分とフォロア部分との間に作用するが、所望の範囲内の接触圧力の場合に、フォロア部分が駆動部分の運動サイクルの一部で駆動部分に連結されるのみであるように、設計される。上述の運動サイクルの残りの部分では、フォロア部分が、接触圧力によってプレストレスに対して、駆動部分から係合解除される。したがって、３つの操作範囲が提供される。第１の操作範囲において、フォロア部分は駆動部分に完全に係合し、駆動部分の循環駆動運動に直接、すなわち１対１で従う。第２の操作範囲において、フォロア部分はその運動サイクルの一部で駆動部分に従うのみであり、一方、運動サイクルの残りの部分では、駆動部分から係合解除される。第３の操作範囲において、最終的に、フォロア部分および駆動部分は完全に互いから連結解除され、結果としてフォロア部分は駆動部分の駆動運動に従わず、完全に調和せずに動く。これによって、接触圧力の所望の範囲の下限値および上限値の両方を検知することが可能になる。加えて、接触圧力は、所望の範囲内で定量的に決定されてもよい。上述の第２の操作範囲は、検知されるべき接触圧力の所望の範囲に対応する。
【００１１】
特に、接触圧力は、フォロア部分および駆動部分の係合状態を特定する負荷時間率から決定されてもよい。負荷時間率は、フォロア部分が駆動部分の駆動運動に従う間の駆動部分の１つまたはそれ以上の運動サイクルの部分から、および、フォロア部分が駆動部分から連結解除される間の１つまたはそれ以上の運動サイクルの部分から、決定される。負荷時間率は、フォロア部分が駆動部分の循環駆動運動と調和せずに動いた程度の指標であり、したがって操作ヘッドによってかけられる接触圧力の指標である。負荷時間率から決定されている接触圧力によって、接触圧力は、複雑ではないオン／オフ検知を経由して定量的に決定することができる。フォロア部分と駆動部分との間の接続は、スイッチとして使用される。
【００１２】
負荷時間率は、丁度１つの運動サイクルによって決定されてもよい。適切であれば、検知許容度を下げより高い測定精度を達成するために、複数のサイクルにわたって平均されてもよい。
【００１３】
負荷時間率は、時間検知を経由して決定されてもよく、すなわち、それぞれの連結状態の時間が検知され互いに対して設定される。負荷時間率を決定するために、駆動部分の運動サイクル中に、カバーされる距離またはカバーされる回転の角度を検知することも可能であり、それに対して対応する連結状態が存在し、互いに対する関係でこれらを設定する。
【００１４】
本発明の態様において、フォロア部分および駆動部分の連結状態を検知するために、２つの間の接触が検知される。特に、２つの部分の間の電気的に導電性の接触を検知することが可能である。この目的のために、２つの部分は金属から形成されてもよく、それらに、少なくとも互いに接触するセクションに、加えられる電圧を有する。２つの部分が接触する限り、電流が流れる。係合解除するやいなや、電流は流れない。フォロア部分および駆動部分の係合状態の複雑ではないオン／オフ検知は、特に、互いに接触するセクションの電気導電性設計を経由して、このようにして提供され、その結果として、係合状態にしたがって、信号フローが流れるかまたは遮断される。フォロア部分および駆動部分は一緒にスイッチを形成し、これは連結検知装置として有利に使用されてもよい。
【００１５】
ストローク駆動装置が、特に、駆動装置として設けられ、その連結状態は、接触圧力を決定するために検知され、上記ストローク駆動装置が、可動式に装着される操作ヘッドに、往復ストロークまたはピッキング運動を実行させる。カムは特に、駆動装置の循環式に可動する駆動部分として設けられてもよく、フォロア部分は上記カムの湾曲した表面を転がるかまたは摺動する。回転して駆動することができるカムが特に設けられ、このカムは偏心として作用し、その回転運動はフォロア部分の往復運動に転換される。係合検知はこのようにして、カムと駆動部分との間に直接発生することが好ましく、後者に従う。連結状態が検知されるインターフェースは、駆動列の他の場所に位置することもできる。しかし、連結状態をモニタするために、カムとその上を転がる駆動部分との間のプレストレスされた接続を使用することが好ましい。
【００１６】
フォロア部分用の駆動装置は、異なって設計されてもよい。フォロア部分は、特に、可動式に装着され、フォロア部分の運動が操作ヘッドへ伝達されるように、操作ヘッドへ接続される。操作ヘッドキャリヤ全体が、その内部に駆動シャフトが設けられてもよいが、ロッカーのように旋回することができるように装着されるために、操作ヘッドのストローク運動が達成されることが好ましい。この場合、フォロア部分は、特に、この揺動配列の端アーム部分であってもよく、これは、ばねによってカムに対して応力下で保持される。ストローク駆動装置は、操作ヘッドキャリヤがハンド部分に対して剛的に装着されるように実現されてもよく、操作ヘッドキャリヤに対して動くことができるように操作ヘッドのみが装着される。この場合、操作ヘッドキャリヤの内部に可動式に装着される駆動列の一部が、フォロア部分を形成してもよい。本発明の態様において、操作ヘッドのストロークまたはピッキング運動を作るために、丁度駆動スピンドルを可動式に装着することも可能である。この場合、駆動スピンドルがフォロア部分を形成してもよく、これは、対応するカムによって横方向に振動するようにされる。
【００１７】
本発明の別の有利な態様によると、カムは駆動部分上に配列されてもよく、これは、可動式に装着され、装着ヘッドに接続され、さらに駆動された駆動部分上を走るが、これは、その上に座すモータシャフトまたはスリーブであってもよい。上述の配列を逆転すると、この場合はカムが駆動され、さらなる駆動部分から上げられているカムの作用がモニタされる。
【００１８】
本発明の有利な構成によると、接触圧力の所望の上部値または所望の下部値を調整するための調整装置が設けられる。特に、調整装置が、プレストレス装置のプレストレス力を変えることが可能である。上述の調整装置によって、一方では、フォロア部分が開始する点を移動して駆動部分の駆動運動に極度にこれ以上従わないように、システム設定を変更することも可能である。調整装置は、他方では、フォロア部分が駆動部分から完全に連結解除される点を移動するようにシステムパラメータを変更することを可能にする。
【００１９】
連結状態を表す信号は、異なる方法で評価されてもよい。本発明の好適な構成によると、フォロア部分およびが駆動部分の係合状態を表すオン／オフ信号は、フィルタを経由して評価される。圧力決定装置はフィルタ回路を有し、その入力側は、連結検知配列に接続される。
【００２０】
本発明の代替構成において、係合状態を特定するオン／オフ信号は、マイクロコントローラに直接供給されてもよく、マイクロコントローラは、負荷時間率を直接測定し、閾値に依存して、インジケータを作動する。この構成の場合、圧力決定装置はしたがって、計算ユニット、特にマイクロコントローラを有する。
【００２１】
音響的装置が、または光学的装置も、検知された接触圧力をユーザに示すインジケータとして設けられてもよい。特に、決定された接触圧力を示すための、ＬＥＤディスプレイを設けることが可能である。
【００２２】
本発明は、好適な例示的実施形態および関連図面を参照して、下記により詳細に説明される。
【００２３】
【発明の実施の形態】
図１による電動歯ブラシは、ハンドル部分１を有し、それに、ブラシキャリヤ２を押し込むことができる。ハンドル部分１から突出するブラシキャリヤ２の端に、ブラシヘッド３が配列され、これは、ブラシキャリヤの長手方向軸に基本的に垂直である軸４を中心にして回転することができるように、ブラシキャリヤ２に装着される。
【００２４】
ハンドル部分１の内部にシャーシ５が設けられ、これに、駆動モータ６と蓄電池７とさらなる電子構成要素、たとえば、充電コイル８とが、固定される（図１参照）。さらに、ロッカー９が、ロッカー軸１０を中心にして旋回することができるように、シャーシ５に装着される。ロッカー軸１０は基本的に、ハンドル部分１の長手方向軸を横切って延在する。ロッカー９は、ハンドル部分１から突出する。ブラシキャリヤ２は、ロッカー９の突出端に押し込まれてもよく、結果として、ロッカー９とともにロッカー軸１０を中心にして揺動することができる。ハンドル部分１とロッカーとの間にありロッカーを通る環状空間は、弾性膜１１等によって閉じられてもよく、これによって、ロッカー軸１０を中心にした揺動運動が可能になる。
【００２５】
ロッカー９の内部に駆動シャフト１２が設けられ、これは、ブラシキャリヤ２が押し込まれるときに、回転式に固定してブラシキャリヤサイド駆動シャフト１３に係合し、これは、かさ歯車台１４を経由して回転軸４を中心にして回転してブラシヘッド３を駆動する。駆動シャフト１２のモータ端は、駆動モータ６に接続され、正確には、それ自体既知である４リンク機構の形態である歯車機構１５を経由して接続される。モータシャフト１６の連続回転運動は、歯車機構１５によって駆動シャフト１２の回転振動運動に転換され、結果として、最終的にはブラシヘッド３が、往復式に回転して駆動される。
【００２６】
加えて、軸４に沿ったブラシヘッド３の基本的に直動のストロークまたはピッキング運動は、ロッカー９の旋回可能な配列によって生成されることができる。ロッカー９は、ブラシキャリヤ２から離れて方向づけられるその端によって、カム１７に座し、これは、偏心として設計されモータシャフト１６に座す。ブラシヘッド３から離れて方向づけられるロッカー９の端は、フォロア部分１８を形成し、これは、カム１７の湾曲した表面および／または循環運動に従い、結果としてロッカー９は往復揺動運動を実行する。この目的のために、ロッカー９のフォロア部分１８は、ばねの形態のプレストレス装置１９によってカム１７に対してプレストレスされる。ロッカー９を経由して、プレストレスがブラシヘッド３をその操作側の方向に強制し、一方、カム１７は、その対応する湾曲した表面によって、ブラシヘッド３を反対方向に強制するように、ここに配列される。
【００２７】
描写された構成に設けられたカム１７は、偏心として設計された転がり接触軸受である。転がり接触軸受の内側軌道は、モータシャフト１６に座すが、偏心として設計されてもよく、結果として、転がり接触軸受の外側軌道は循環運動を実行し、これは、図１にしたがって、右から左へ往復する。代替構成において、モータシャフト１６の偏心カラーに座す従来の転がり接触軸受を設けることが可能であり、その結果として、転がり接触軸受全体が対応する振動運動を実行し、偏心として作用する。
【００２８】
図２が示すように、ロッカー９のモータ端をプレストレスするためにクリップばね２０が設けられ、それはフォロア部分を形成し、上記クリップばねはシャーシ５上に支持され、ロッカー９の上述の端をカム１７に対して強制する。
【００２９】
本発明の代替実施形態において、クリップばね２０の代わりにらせん状のばねを設けることも可能である。ロッカー９をカム１７に対して強制するために、プレストレスばね２１が、シャーシ５上ではなく、ハンドル部分１上に直接支持されることも可能である。図３の構成にしたがって、転がり接触軸受１９を逆に配列することも可能である。図３が示すように、ピン２１が、ロッカー９のモータ端に設けられてもよく、上記ピンはモータシャフト１６に平行に延在する。上記ピン２１に回転可能なプレート２３が座し、これは、モータシャフト１６またはそれに座すスリーブ２２を走る。ロッカー９の循環駆動運動を達成するために、プレート２３はカムプレートとして設計されてもよく、スリーブ２２を走る偏心を形成してもよい。あるいは、スリーブ２２が偏心設計であることも可能であり、次いで円筒形プレート２３がその上を回転することが好ましい。プレート２３は、たとえば、転がり接触軸受として設計されてもよい。プレート２３およびスリーブ２２は、円周上に複数の隆起を備えたカムプレートとして構成されてもよい。
【００３０】
図４が示すように、本発明の好適な実施形態によると、プレストレス力を調整するために配列２４が設けられ、それによってロッカー９のモータ端が、モータサイド駆動部分に対してプレストレスされる。調整装置２４は、スイッチとして、特に摺動スイッチ２５として、設計されてもよく、これは、ハンドル部分１に変位可能に装着される。摺動スイッチ２５は、楔形表面２６によってプレストレスばね２７の有効長さを変えることができる。
【００３１】
操作中に、モータシャフト１６の回転運動が、ロッカー９に、カム１７を経由して、往復揺動運動を実行させ、したがって、ブラシヘッド３に、対向する往復ストローク運動を実行させる。モータサイド駆動部分の方向でフォロア部分１８のプレストレスは、ブラシヘッド３の非装填状態で、フォロア部分１８が、カム１７の循環駆動運動に極度に従い、すなわち、カムの循環駆動運動がロッカー９の対応する揺動運動に完全に転換される。この状態は、所望の下部値に対応する接触圧力をブラシヘッド３が受けるまで続く。この状態は、図５ａに例示される。フォロア部分１８とカム１７との間に結果として得られる接触圧力Ｆはゼロより大きく、結果として、フォロア部分と駆動部分との間に常に接触がある。接触圧力または洗浄力が下部閾値を超えると、フォロア部分と駆動部分との間に結果として得られる接触圧力Ｆは、モータシャフト１６の一定の位置でゼロに等しくなり、結果としてフォロア部分１８および駆動部分１７は係合解除し始める。２つの部分の間の接触は、このようにして開く。対応する回転角度αにしたがって、フォロア部分および駆動部分は、再度係合し始める。モータの回転の残りの部分では、結果として得られる接触圧力が、フォロア部分および駆動部分を再度他方に対して強制し、結果として接触が閉じる。フォロア部分と駆動部分との間の接触が開く回転角度αは、永久に互いから上がるまで、洗浄力が上がるにつれて増大し、その場合、回転角度αは３６０度に対応する。およそ０．８から１ニュートンの最小接触圧力が、最適な歯洗浄結果のために維持されなければならない。他方、この洗浄力は、歯肉および歯物質に対する損傷を防止するために、およそ１．８から２．３ニュートンの最大値を超えてはならない。
【００３２】
プレストレス装置１９のプレストレスは、次いで、所望の最小力が達成されるまで、フォロア部分１８と駆動部分１７とが常に係合してモータの完全回転に対して接触が閉じるように、理想的に選択される。プレストレス装置１９のばね特性、カムのストローク、歯車機構および押し込みブラシの慣性、および、モータシャフト１６の回転の周波数は、推奨された所望の最大力が達成されたときには、フォロア部分と駆動部分との間の接触が永久に開いたままであるように、追加として選択されてもよい。
【００３３】
係合状態を表す信号を作るために、互いの上を転がるかまたは摺動するカム１７の領域の部分は、金属で形成される。図１に示される構成の場合には、特に、玉軸受の金属製外側軌道が、導電性玉軸受保持器を経由して直接モータシャフト１６および同様に玉軸受の内側軌道に導電式に接続される。モータシャフトは、評価ユニット（具体的には例示されない）に導電式に接続される。ロッカー９の接触表面は、それによってロッカー９が玉軸受の外側軌道に座すが、同様に金属形態であり、この結果、ロッカーと玉軸受とが係合するときに電気的に導電性接触をする。ロッカーが玉軸受から上げられるやいなや、接触が開き、対応する信号が妨害される。ロッカーサイド接触表面も同様に、線２８を経由して、評価ユニットへ電気的に接続される。外側玉軸受軌道が玉軸受保持器および内側軌道を経由して直接モータシャフト１６に接続される代わりに、外側玉軸受軌道が、たとえば接触ばね２９を経由して、直接ピックアップされて、評価ユニットへ接続されるように提供されてもよい。評価ユニットは、１つまたはそれ以上の好ましくは着色の信号灯３０を制御する。透明なインジケータ３１が対応して、異なる色でまたはパルス信号によって、検知された制御圧力を照明する。
【００３４】
選択されたプレストレスにしたがって、電動歯ブラシの操作中に３つの操作範囲がある。接触圧力が所望の下部値より下であり、したがって、フォロア部分および駆動部分が一定に接触する限り、この結果、図６ａが示すように、第１のレベルで一定信号レベルになる。接触圧力が所望の下部値を超えるやいなや、しかし未だに所望の上部値を超えないときに、フォロア部分および駆動部分は互いから循環式に上げられ、互いに接触され、この結果として図６ｂ、６ｃおよび６ｄにしたがって脈動信号が得られる。信号は、２つの信号状態の間を前後に飛び、負荷時間率は接触圧力の変化にしたがって変化する。図６ｂは、接触圧力の所望の範囲の下縁での信号を示し、図６ｃは、所望の範囲の中心の接触圧力用の信号プロファイルを示し、最後に図６ｄは、所望の範囲の上縁での接触圧力用の信号プロファイルを示す。
【００３５】
最終的に接触圧力が所望の上部値を超える場合には、この結果、今度は一定の信号レベルになるが、接触圧力が下部閾値より下になるレベルとは異なるレベルである。上限を超える場合には、ロッカー９はモータサイド駆動部分から永久に上げられる。
【００３６】
接触圧力が所望の範囲内にある場合には、信号変化の負荷時間率によって定量的に接触圧力を決定することが可能である。負荷時間率は、マイクロコントローラの補助で直接測定されてもよく、結果としてマイクロコントローラはインジケータ３１を作動する。あるいは、フィルタ回路によって評価を実行することが可能であり、これは図６ｂから６ｄにしたがった信号を、コンパレータを経由して閾値と比較する。
【図面の簡単な説明】
【図１】
本発明の好適な構成による電動歯ブラシの長手方向における概略断面図である。
【図２】
図１の線Ａ−Ａに沿った図１の歯ブラシの断面図である。
【図３】
図１に類似した、本発明のさらに好適な構成による電動歯ブラシの一部の長手方向における概略断面図である。
【図４】
図１に類似した、本発明のさらに好適な構成による電動歯ブラシの一部の長手方向における概略断面図である。
【図５】
偏心とそれによって駆動されるフォロア部分との間の、異なる接触圧力下における係合状態を示す概略図である。
【図６】
図５のフォロア部分とカムとの間の係合状態を表す信号の、異なる接触圧力下における信号レベルを示す概略図である。
【符号の説明】
１  ハンドル部分
２  ブラシキャリヤ
３  ブラシヘッド
４  回転軸
５  シャーシ
６  駆動モータ
７  蓄電池
８  充電コイル
９  ロッカー
１０  ロッカー軸
１１  弾性膜
１２  駆動シャフト
１３  ブラシキャリヤサイド駆動シャフト
１４  かさ歯車台
１５  歯車機構
１６  モータシャフト
１７  カム、駆動部分
１８  フォロア部分
１９  プレストレス装置、転がり接触軸受
２０  クリップばね
２１  プレストレスばね、ピン
２２  スリーブ
２３  プレート
２４  配列、調整装置
２５  摺動スイッチ
２６  楔形表面
２７  プレストレスばね
２８  線
２９  接触ばね
３０  信号灯
３１  インジケータ
【図６】
2004517703.tif 000003
【国際公開パンフレット】
2004517703.tif 000004
2004517703.tif 000005
2004517703.tif 000006
2004517703.tif 000007
2004517703.tif 000008
2004517703.tif 000009
2004517703.tif 000010
2004517703.tif 000011
2004517703.tif 000012
2004517703.tif 000013
2004517703.tif 000014
2004517703.tif 000015
2004517703.tif 000016
2004517703.tif 000017
2004517703.tif 000018
2004517703.tif 000019
2004517703.tif 000020
2004517703.tif 000021
2004517703.tif 000022
【国際調査報告】
2004517703.tif 000023
2004517703.tif 000024
2004517703.tif 000025
2004517703.tif 000026